(57)【特許請求の範囲】
【請求項１】
一側面に正極端子及び負極端子が配置されたバッテリーセルと、
前記バッテリーセルの前記一側面に対向して配置され第１基板端子及び第２基板端子を有する回路基板と、
前記正極端子と前記第１基板端子とを導通させる第１導通部材と、
前記負極端子と前記第２基板端子とを導通させる第２導通部材と、
少なくとも一部が前記回路基板と前記バッテリーセルとの間に配置される第１カバー部と、前記回路基板を挟んで前記第１カバー部と対向して配置される第２カバー部と、前記第１カバー部と前記第２カバー部とを折り畳み可能に連結する連結部と、を有する回路基板をカバーするカバー部材と、を備え、
前記回路基板は、前記第１カバー部と前記第２カバー部とに挟持された状態で前記バッテリーセルの前記一側面に取り付けられることを特徴とするバッテリー。
【請求項２】
前記第１基板端子と前記第２基板端子とは、前記回路基板における前記バッテリーセルの前記一側面に対向する側の面に配置され、
前記第１導通部材と前記第２導通部材とは、前記連結部を介した前記第１カバー部と前記第２カバー部との折り畳み方向に沿って折り畳まれている請求項１記載のバッテリー。
【請求項３】
前記第１導通部材及び前記第２導通部材それぞれは、前記カバー部材が前記連結部による折り畳みを伴わない開状態において、前記正極端子及び前記負極端子それぞれと前記一側面に直交する垂直方向からの溶接により結合されると共に、前記第１基板端子及び前記第２基板端子それぞれと前記垂直方向からの溶接により結合される請求項１又は２記載のバッテリー。
【請求項４】
前記回路基板は、前記カバー部材の前記開状態であって前記第１カバー部が前記バッテリーセルの前記一側面に結合された状態において、前記第２カバー部によって支持される請求項３記載のバッテリー。
【請求項５】
前記カバー部材は、前記第１カバー部と前記第２カバー部とが折り重ねられた状態を保持する結合部を更に有する請求項１から４のいずれかに記載のバッテリー。
【請求項６】
前記第１カバー部は、前記正極端子に結合された前記第１導通部材と前記負極端子に結合された前記第２導通部材とによって前記バッテリーセルに対して位置決めされる請求項１から５のいずれかに記載のバッテリー。
【発明の詳細な説明】
【技術分野】
【０００１】
本発明は、携帯電話機等の電子機器に使用されるバッテリーに関する。
【背景技術】
【０００２】
従来、携帯電話や携帯情報端末等の携帯電子機器に用いられるバッテリーとして、バッテリーセルの一側面に端子等を有する基板と該基板を保護するためのカバー部材とを有するバッテリーが知られている。
例えば、特許文献１には、バッテリーセルの一側面側に基板が配置されると共に、この基板を上面から保護するトップカバーと、基板を下面側（バッテリーセル側）で支持するボトムカバーとからなるカバー部材を有するバッテリーが提案されている。
【特許文献１】特開２００６−２０２６５５号公報
【発明の開示】
【発明が解決しようとする課題】
【０００３】
しかし、特許文献１記載のバッテリーにおいては、カバー部材としてのトップカバーとボトムカバーとが別部品から構成されているため、トップカバーをボトムカバーに取り付ける工程が必要であり、バッテリーの製造時における組み付け工数が多くなってしまうという問題があった。
【０００４】
従って、本発明は、製造時における組み付け工数を削減できるバッテリーを提供することを目的とする。
【課題を解決するための手段】
【０００５】
本発明は、一側面に正極端子及び負極端子が配置されたバッテリーセルと、前記バッテリーセルの前記一側面に対向して配置され第１基板端子及び第２基板端子を有する回路基板と、前記正極端子と前記第１基板端子とを導通させる第１導通部材と、前記負極端子と前記第２基板端子とを導通させる第２導通部材と、少なくとも一部が前記回路基板と前記バッテリーセルとの間に配置される第１カバー部と、前記回路基板を挟んで前記第１カバー部と対向して配置される第２カバー部と、前記第１カバー部と前記第２カバー部とを折り畳み可能に連結する連結部と、を有する回路基板をカバーするカバー部材と、を備え、前記回路基板は、前記第１カバー部と前記第２カバー部とに挟持された状態で前記バッテリーセルの前記一側面に取り付けられることを特徴とするバッテリーを提供することにより、上記目的を達成したものである。
【０００６】
また、前記第１基板端子と前記第２基板端子とは、前記回路基板における前記バッテリーセルの前記一側面に対向する側の面に配置され、前記第１導通部材と前記第２導通部材とは、前記連結部を介した前記第１カバー部と前記第２カバー部との折り畳み方向に沿って折り畳まれていることが好ましい。
【０００７】
また、前記第１導通部材及び前記第２導通部材それぞれは、前記カバー部材が前記連結部による折り畳みを伴わない開状態において、前記正極端子及び前記負極端子それぞれと前記一側面に直交する垂直方向からの溶接により結合されると共に、前記第１基板端子及び前記第２基板端子それぞれと前記垂直方向からの溶接により結合されていることが好ましい。
【０００８】
また、前記回路基板は、前記カバー部材の前記開状態であって前記第１カバー部が前記バッテリーセルの前記一側面に結合された状態において、前記第２カバー部によって支持されていることが好ましい。
【０００９】
また、前記カバー部材は、前記第１カバー部と前記第２カバー部とが折り重ねられた状態を保持する結合部を更に有していることが好ましい。
【００１０】
また、前記第１カバー部は、前記正極端子に結合された前記第１導通部材と前記負極端子に結合された前記第２導通部材とによって前記バッテリーセルに対して位置決めされることが好ましい。
【発明の効果】
【００１１】
本発明によれば、製造時における組み付け工数が削減されたバッテリーを提供することかできる。
【発明を実施するための最良の形態】
【００１２】
以下、本発明のバッテリーをその好ましい一実施形態に基づき図１から図４を参照して説明する。図１は、本実施形態のバッテリーを示す斜視図である。図２は、図１に示すバッテリーのＡ−Ａ矢視断面図である。図３は、図１に示すバッテリーの分解斜視図である。図４は、図１に示すバッテリーにおいて、カバー部材に回路基板、第１導通部材及び第２導通部材を配置した状態を示す斜視図である。
【００１３】
本実施形態のバッテリー１０は、例えば、携帯電話等の携帯電子機器（図示省略）に装着される二次電池であり、この携帯電子機器に備えられた電気要素に対する電力供給源として機能するものである。
【００１４】
バッテリー１０は、図１〜図４に示すように、一側面である上側面２０ａに正極端子２１及び負極端子２２を有するバッテリーセル２０と、バッテリーセル２０の上側面２０ａに対向して配置され第１基板端子３０ａ及び第２基板端子３０ｂを有する回路基板３０と、正極端子２１と第１基板端子３０ａとを導通させる第１導通部材３１と、負極端子２２と第２基板端子３０ｂとを導通させる第２導通部材３２と、回路基板３０をカバーするカバー部材４０とを備えている。また、バッテリーセル２０における上側面２０ａを除く外面は、ラベルシート５０により被覆されている。
【００１５】
バッテリーセル２０は、図３及び図４に示すように、矩形板状に形成されている。バッテリーセル２０は、上側面２０ａに正極端子２１及び負極端子２２を備えている。バッテリーセル２０の上側面２０ａは、細長い矩形形状を有している。負極端子２２は、バッテリーセル２０の上側面２０ａにおける長手方向の一方側から突出している。バッテリーセル２０の外面は、例えば、アルミニウム等の金属材料によって形成されている。バッテリーセル２０は、その外面において負極端子２２を除く領域が正極の機能を有しているが、本実施形態においては、バッテリーセル２０の上側面２０ａにおいて負極端子２２とは別に、負極端子２２から上側面２０ａの長手方向に所定の距離をあけて形成された凸状の領域を正極端子２１と称して説明する。
【００１６】
尚、本明細書においては、バッテリーセル２０において正極端子２１及び負極端子２２が位置する側を上側とする（図１参照）。
【００１７】
回路基板３０は、図２及び図３に示すように、バッテリーセル２０の上側面２０ａに対向して配設される細長い板状の部材である。回路基板３０には、その長手方向における一方側の端部近傍に第１基板端子３０ａが設けられ、長手方向における他方側の端部近傍に第２基板端子３０ｂが設けられている。第１基板端子３０ａは、第１導通部材３１を介してバッテリーセル２０の正極端子２１と電気的に接続される。第２基板端子３０ｂは、第２導通部材３２を介してバッテリーセル２０の負極端子２２と電気的に接続される。第１導通部材３１及び第２導通部材３２については後述する。
【００１８】
回路基板３０における、第１基板端子３０ａ及び第２基板端子３０ｂが設けられた面と反対側の面には、図２に示すように、複数の外部接続端子３３が配置されている。外部接続端子３３は、第１導通部材３１を介してバッテリーセル２０の正極端子２１と導通される正極外部端子３３ａと、第２導通部材３２を介してバッテリーセル２０の負極端子２２と導通される負極外部端子３３ｂと、バッテリー１０が装着される電子機器に対してバッテリー１０に関する各種情報を提供するための通信端子３３ｃとを含んでいる。
【００１９】
バッテリー１０が電子機器に装着された際には、これらの外部接続端子３３が電子機器に配設されている接続コネクタの端子と当接することによって、バッテリー１０と電子機器とが電気的に接続されることとなる。
【００２０】
回路基板３０は、図２に示すように、カバー部材４０を構成する第１カバー部４１と第２カバー部４２とに挟持された状態で、バッテリーセル２０の上側面２０ａに取り付けられている。また、回路基板３０は、第１基板端子３０ａ及び第２基板端子３０ｂが設けられた面がバッテリーセル２０の上側面２０ａに対向するように配置されている。
【００２１】
カバー部材４０は、回路基板３０、第１導通部材３１及び第２導通部材３２をバッテリーセル２０に対して固定する部材である。カバー部材４０は、図２及び図３に示すように、少なくとも一部が回路基板３０とバッテリーセル２０との間に配置される第１カバー部４１と、回路基板３０を挟んで第１カバー部４１とは反対側に配置される第２カバー部４２と、第１カバー部４１と第２カバー部４２とを折り畳み可能に連結する連結部４３とを備えている。カバー部材４０は、第１カバー部４１、第２カバー部４２及び連結部４３が一体的に形成されている。カバー部材４０の構成材料としては、例えば、合成樹脂系の材料を用いることができる。
【００２２】
第１カバー部４１は、図３に示すように、その外形がバッテリーセル２０の上側面２０ａと略同形状を有する板状の部材である。第１カバー部４１には、該第１カバー部４１がバッテリーセル２０の上側面２０ａに取付けられた状態において、上側面２０ａの正極端子２１及び負極端子２２に対応する位置に、それぞれ正極端子２１及び負極端子２２の形状に対応した開口部４１ａ、４１ｂが形成されている。
【００２３】
第２カバー部４２は、その外形が第１カバー部４１と略同形状を有している。第２カバー部４２には、図３に示すように、回路基板３０の複数の外部接続端子３３それぞれに対応する位置に、外部接続端子３３の形状に対応する開口部４２ａがそれぞれ形成されている。
第２カバー部４２における回路基板３０が配置される面と反対側の面には、図１及び図２に示すように、一対の突起部４５，４５が設けられている。一対の突起部４５，４５は第２カバー部４２における長手方向の両端に形成されており、いずれも第２カバー部４２における長手方向に沿う側部の一方側に設けられている。一対の突起部４５，４５は、バッテリー１０が電子機器に装着される際に電子機器本体のバッテリー収納部にバッテリー１０を固定するための取り付け部として機能する部分である。
【００２４】
連結部４３は、カバー部材４０を構成する樹脂材料が薄肉状に成形されて構成されており、第１カバー部４１の長手方向に沿う側部の一方側と第２カバー部４２の長手方向に沿う側部の一方側とを連結している。連結部４３は、第１カバー部４１及び第２カバー部４２の長手方向における両端部近傍には形成されていない。即ち、第１カバー部４１と第２カバー部４２とは、長手方向の両端部近傍においては互いに離間した部分を有している。
【００２５】
カバー部材４０の開状態（図３に示される状態）においては、第１カバー部４１と第２カバー部４２とは連結部４３を介して平面状に並んで配置される。カバー部材４０の開状態とは、第１カバー部４１と第２カバー部４２とが連結部４３によって折り畳まれていない状態である。
カバー部材４０は、連結部４３において約１８０度折り曲げられることにより第１カバー部４１と第２カバー部４２とが折り重ねられ、開状態から閉状態へと変更可能に構成されている。カバー部材４０の閉状態とは、第１カバー部４１と第２カバー部４２とが折り重ねられた状態である。
【００２６】
カバー部材４０には、図３及び図４に示すように、カバー部材４０の閉状態を保持する結合部４４が設けられている。結合部４４は、第１カバー部４１における連結部４３とは反対側の側部における長手方向の両端部近傍に設けられた一対の凹部４４ａ，４４ａと、第２カバー部４２における連結部４３とは反対側の側部における長手方向の両端部近傍に設けられた一対の凸部４４ｂ，４４ｂとから構成されている。
【００２７】
カバー部材４０の閉状態においては、第２カバー部４２に設けられた一対の凸部４４ｂ，４４ｂが、第１カバー部４１に設けられた一対の凹部４４ａ，４４ａに係合することにより固定され、カバー部材４０の閉状態が保持される。
【００２８】
第１導通部材３１は、ニッケルや鉄等の金属材料によって帯板状に形成された導電部材であり、略Ｌ字形状を有している。第１導通部材３１は、図４に示すように、開状態のカバー部材４０における一方の端部側に、第１カバー部４１と第２カバー部４２との境界を跨ぐようにして配置される。
詳細には、開状態のカバー部材４０における第１カバー部４１がバッテリーセル２０の上側面２０ａに取り付けられ、第１基板端子３０ａ及び第２基板端子３０ｂを有する面が上方（図３及び図４に示される上方向）を向くように、回路基板３０が第２カバー部４２に配置された状態において、第１導通部材３１は、その一方側の端部が開口部４１ａを介してバッテリーセル２０の正極端子２１に当接し、他方側の端部が回路基板３０の第１基板端子３０ａに当接するように配置される。
【００２９】
尚、第１導通部材３１は、第１カバー部４１及び第２カバー部４２の長手方向における一方側の端部近傍において両者の境界を跨いでおり、第１導通部材３１が跨いでいる境界部分には、連結部４３は形成されていない。
【００３０】
第２導通部材３２も、ニッケルや鉄等の金属材料によって帯板状に形成された導電部材であり、略Ｌ字形状を有している。第２導通部材３２は、図４に示すように、開状態のカバー部材４０における第１導通部材３１が配置されたのとは反対の端部側に、第１カバー部４１と第２カバー部４２との境界を跨ぐようにして配置される。
詳細には、開状態のカバー部材４０における第１カバー部４１がバッテリーセル２０の上側面２０ａに取り付けられ、第１基板端子３０ａ及び第２基板端子３０ｂを有する面が上方を向くように、回路基板３０が第２カバー部４２に配置された状態において、第２導通部材３２は、その一方側の端部が開口部４１ｂを介してバッテリーセル２０の負極端子２２に当接し、他方側の端部が回路基板３０の第２基板端子３０ｂに当接するように配置される。
【００３１】
尚、第２導通部材３２も、第１カバー部４１及び第２カバー部４２の長手方向における端部近傍において両者の境界を跨いでおり、第２導通部材３２が跨いでいる境界部分には、連結部４３は形成されていない。
【００３２】
第１導通部材３１及び第２導通部材３２は、カバー部材４０の開状態において、正極端子２１及び負極端子２２とバッテリーセル２０の上側面２０ａに直交する方向である垂直方向（図４における上方向）からの溶接により導通可能に結合されている。また、第１導通部材３１及び第２導通部材３２は、第１基板端子３０ａ及び第２基板端子３０ｂとも同じ垂直方向からの溶接により導通可能に結合されている。
即ち、第１導通部材３１と正極端子２１及び第１基板端子３０ａとの溶接、並びに第２導通部材３２と負極端子２２及び第２基板端子３０ｂとの溶接の合計４箇所における溶接は、全て同方向からの溶接によって行われている。これらの溶接は、例えば、スポット溶接によって行うことができる。
【００３３】
第１導通部材３１及び第２導通部材３２は、カバー部材４０の閉状態においては、連結部４３を介した第１カバー部４１と第２カバー部４２との折り畳み方向に沿って折り畳まれている。具体的には、第１導通部材３１及び第２導通部材３２それぞれにおける第１カバー部４１から第２カバー部４２に亘って配置されている部分が、第１カバー部４１と第２カバー部４２との境界近傍において折り返されて積層されている。第１導通部材３１及び第２導通部材３２それぞれにおける折り返されて積層された部分は、図２に示すように、互いに当接している。
【００３４】
ラベルシート５０は、バッテリーセル２０を被覆する被覆部材の一例であり、バッテリー１０の外観面を構成している。ラベルシート５０の表面（バッテリーセル２０に対向する面とは反対の面）には、例えば、バッテリーの型番や規格、バッテリーが装着される電子機器の製造社名等が表示されている（図示省略）。
【００３５】
ラベルシート５０を形成する材料は、特に制限されず、例えば、ＰＥＴ（ポリエチレンテレフタレート）等の合成樹脂材料が用いられる。特に、バッテリーセル２０の外面を形成する材料（本実施形態では、例えば、アルミニウム）よりも熱伝導率の低い材料が好ましく用いられる。
【００３６】
ラベルシート５０は、図３に示すように、一枚のシート材によって形成されている。ラベルシート５０は、バッテリーセル２０の上側面２０ａにカバー部材４０が取付けられた状態において、カバー部材４０が取り付けられたバッテリーセル２０におけるカバー部材の上側面４０ａを除く略全面を被覆する（図１参照）。尚、ラベルシート５０は、カバー部材４０の上側面４０ａを外部接続端子３３及び突起部４５が配置されている領域を除いて被覆するようにしてもよい。
即ち、図２に示すように、バッテリーセル２０とカバー部材４０（第１カバー部４１）との境界部分、及び第１カバー部４１と第２カバー部４２との境界部分は、ラベルシート５０によって被覆されている。
ラベルシート５０におけるカバー部材４０の連結部４３が設けられた面を被覆する部分には、図３に示すように、切り欠き部５１が形成されており、ラベルシート５０を巻きつけた際に連結部４３が露出するように構成されている。
【００３７】
次に、本実施形態のバッテリー１０の一製造方法について図５を用いて説明する。図５は、図１に示すバッテリー１０の製造方法を示す図である。
バッテリー１０の製造工程においては、まず、図５（ａ）に示すように、バッテリーセル２０の上側面２０ａに、開状態のカバー部材４０が取り付けられる。カバー部材４０は、第１カバー部４１がバッテリーセル２０の上側面２０ａに接着部材（図示せず）等によって接着（仮固定）される。
【００３８】
次いで、図５（ｂ）に示すように、バッテリーセル２０に取り付けられた、開状態のカバー部材４０に、回路基板３０、第１導通部材３１、及び第２導通部材３２がそれぞれ装着される。
【００３９】
詳述すると、回路基板３０は、開状態のカバー部材４０における第２カバー部４２に、第１基板端子３０ａ及び第２基板端子３０ｂを有する面が上方を向くようにして、第２カバー部４２の内面（図５（ａ）における上面）側に形成された基板収納部に位置決めされて配置される。
第１導通部材３１及び第２導通部材３２は、回路基板３０が第２カバー部４２に配置された後に、第１カバー部４１と第２カバー部４２との境界を跨いで両者に亘って配置される。
第１導通部材３１は、その一方側の端部が、第１カバー部４１の開口部４１ａを介してバッテリーセル２０の正極端子２１に当接し、他方側の端部が回路基板３０の第１基板端子３０ａに当接するように配置される。第２導通部材３２も、その一方側の端部が、第１カバー部４１の開口部４１ｂを介してバッテリーセル２０の負極端子２２に当接し、他方側の端部が回路基板３０の第２基板端子３０ｂに当接するように配置される。尚、第１導通部材３１、及び第２導通部材３２は、第１カバー部４１の上面に形成されている略Ｌ字状の溝に挿嵌されてカバー部材４０に対して位置決めされた状態で配置されている。
【００４０】
次いで、開状態のカバー部材４０に配置された第１導通部材３１及び第２導通部材３２は、それぞれバッテリーセル２０の正極端子２１及び負極端子２２、並びに回路基板３０の第１基板端子３０ａ及び第２基板端子３０ｂにスポット溶接によって接合される。これら４つの接合は、全て上側面２０ａの面方向に直交する垂直方向（図５（ｂ）における上方向）からのスポット溶接によって行われる。
【００４１】
ここで、第１導通部材３１と正極端子２１とが接合され、第２導通部材３２と負極端子２２とが接合されることにより、第１導通部材３１及び第２導通部材３２とバッテリーセル２０の上側面２０ａとの間に配置されている第１カバー部４１は、バッテリーセル２０により強固に固定される。
【００４２】
次いで、図５（ｃ）に示すように、カバー部材４０は、連結部４３において約１８０度折り曲げられることにより第１カバー部４１と第２カバー部４２とが折り重ねられる。
カバー部材４０には、第１カバー部４１に設けられた一対の凹部４４ａ，４４ａと、第２カバー部４２に設けられた一対の凸部４４ｂ，４４ｂとから構成される結合部４４が設けられており（図５（ｂ）参照）、第１カバー部４１と第２カバー部４２とが折り重ねられた状態（カバー部材４０の閉状態）においては、一対の凸部４４ｂ，４４ｂが一対の凹部４４ａ，４４ａに係合することで、カバー部材４０の閉状態が保持される。
【００４３】
次いで、図５（ｄ）に示すように、ラベルシート５０が、バッテリーセル２０及びバッテリーセル２０に連設されたカバー部材４０に接着部材（図示せず）によって貼付される。ここで、ラベルシート５０は、その裏面に接着部材が予め塗布されたシール部材であり、バッテリーセル２０及びカバー部材４０に巻き付けることによって、容易にラベルシート５０をバッテリーセル２０及びカバー部材４０に貼付できるようになっている。
【００４４】
以上説明した本実施形態のバッテリー１０によれば、カバー部材４０は、回路基板３０の下側に位置する第１カバー部４１と、回路基板３０の上側に位置する第２カバー部４２とが、連結部４３により連結されて一体的に構成されている。そのため、第１カバー部と第２カバー部とを別部材から構成する場合に比して、バッテリー１０の組み立てに用いられる部品点数を削減することができる。これにより、バッテリー１０の製造時における組み付け工数を削減することができる。また、部品点数が削減されることにより、バッテリー１０の製造に係る部材費を低減できる。
【００４５】
また、本実施形態においては、第１導通部材３１が正極端子２１に溶接され、第２導通部材３２が負極端子２２に溶接されている。これにより、第１導通部材３１及び第２導通部材３２とバッテリーセル２０との間に配置されている第１カバー部４１は、バッテリーセル２０の上側面２０ａにおける所定の場所に確実に位置決めされる。また、バッテリーセル２０とカバー部材４０とを強固に固定できる。
【００４６】
また、本実施形態においては、第１導通部材３１の正極端子２１及び第１基板端子３０ａへの溶接、並びに第２導通部材３２の負極端子２２及び第２基板端子３０ｂへの溶接は、全て同一方向からのスポット溶接によって行われている。従って、全てのスポット溶接を一工程で実施でき、組み付け工数の低減が可能となる。
【００４７】
また、第１導通部材３１及び第２導通部材３２が折り返される部分である第１カバー部４１と第２カバー部４２との境界部分には、連結部４３は形成されておらず、第１カバー部４１と第２カバー部４２とは離間している。そのため、カバー部材４０が折り畳まれる際に、第１導通部材３１及び第２導通部材３２における折り返される部分が連結部４３に接触して第１導通部材３１及び第２導通部材３２の折り返しが阻害されることがない。
【００４８】
また、カバー部材４０には、第１カバー部４１と第２カバー部４２とを結合する結合部４４が設けられているため、第１カバー部４１と第２カバー部４２とを容易に係合させることができ、カバー部材４０の閉状態を容易に保持することができる。
【００４９】
更に、カバー部材４０が取り付けられたバッテリーセル２０におけるバッテリーセル２０とカバー部材４０（第１カバー部４１）との境界部分、及び結合部４４を含む第１カバー部４１と第２カバー部４２との境界部分は、ラベルシート５０より被覆される。そのため、バッテリーセル２０とカバー部材４０との結合状態をより強固にすることができると共に、第１カバー部４１と第２カバー部４２との係合状態を強固に保つことができる。
【００５０】
以上、本発明のバッテリーの一実施形態について説明したが、本発明は、上述した実施形態に制限されるものではない。
例えば、カバー部材４０における連結部４３は、第１カバー部４１及び第２カバー部４２の長手方向における両端部近傍に設けてもよい。この場合には、第１カバー部４１及び第２カバー部４２の長手方向における中央部に連結部４３を設けない領域を形成し、第１導通部材３１及び第２導通部材３２は、連結部４３の設けられていない領域において第１カバー部４１と第２カバー部４２とを跨ぐように配置することができる。
【００５１】
また、第１導通部材３１及び第２導通部材３２の形状は、略Ｌ字形状に限られず、Ｉ字形状等であってもよい。
【００５２】
また、被覆部材は、バッテリーセル２０に巻き付けられ接着部材によって接着されるラベルシート５０に限られず、例えば、熱収縮性を有するチューブ状のフィルムによって形成され、バッテリーセル２０を被覆するものであってもよい。
【図面の簡単な説明】
【００５３】
【図１】本発明のバッテリーの一実施形態を示す斜視図である。
【図２】図１に示すバッテリーのＡ−Ａ矢視断面図である。
【図３】図１に示すバッテリーの分解斜視図である。
【図４】図１に示すバッテリーにおいて、カバー部材に回路基板、第１導通部材及び第２導通部材を配置した状態を示す斜視図である。
【図５】図１に示すバッテリーの一製造方法を示す図である。
【符号の説明】
【００５４】
１０  バッテリー
２０  バッテリーセル
２０ａ  上側面（一側面）
２１  正極端子
２２  負極端子
３０  回路基板
３０ａ  第１基板端子
３０ｂ  第２基板端子
３１  第１導通部材
３２  第２導通部材
３３  外部接続端子
４０  カバー部材
４１  第１カバー部
４２  第２カバー部
４３  連結部
４４  結合部
４４ａ  凹部
４４ｂ  凸部
４５  突起部
５０  ラベルシート
５１  切り欠き部
【図１】
0005236265.tif 000002
【図２】
0005236265.tif 000003
【図３】
0005236265.tif 000004
【図４】
0005236265.tif 000005
【図５】
0005236265.tif 000006